(57)【要約】【課題】中間転写体上の画像品質を向上させると共に、中間転写体上の画像形成から記録媒体への転写を良好且つ高速に行う。【解決手段】中間転写体上に形成された画像を記録媒体に転写することで前記記録媒体上に画像を形成する画像形成装置であって、溶媒不溶性材料を含有する第１の液体を前記中間転写体上に付与する第１の液体付与手段と、前記溶媒不溶性材料を凝集させる機能を有する第２の液体を前記第１の液体に先立って前記中間転写体上に付与する第２の液体付与手段と、前記第１の液体を付与する際の前記中間転写体上の前記第２の液体の最小厚みが１μｍ以上であり、且つ、単位面積当りの前記第２の液体の付与量が単位面積あたりの前記第１の液体の付与量以上であるように制御する吐出制御手段と、を備えたことを特徴とする画像形成装置を提供することにより、前記課題を解決する。【選択図】  図１
2007268802.tif 000002
【特許請求の範囲】
【請求項１】
中間転写体上に形成された画像を記録媒体に転写することで前記記録媒体上に画像を形成する画像形成装置であって、
溶媒不溶性材料を含有する第１の液体を前記中間転写体上に付与する第１の液体付与手段と、
前記溶媒不溶性材料を凝集させる機能を有する第２の液体を前記第１の液体に先立って前記中間転写体上に付与する第２の液体付与手段と、
前記第１の液体を付与する際の前記中間転写体上の前記第２の液体の最小厚みが１μｍ以上であり、且つ、単位面積当りの前記第２の液体の付与量が単位面積あたりの前記第１の液体の付与量以上であるように制御する吐出制御手段と、を備えたことを特徴とする画像形成装置。
【請求項２】
中間転写体上に形成された画像を記録媒体に転写することで前記記録媒体上に画像を形成する画像形成装置であって、
溶媒不溶性材料を含有する第１の液体を前記中間転写体上に付与する第１の液体付与手段と、
前記溶媒不溶性材料を凝集させる機能を有する第２の液体を前記第１の液体に先立って前記中間転写体上に付与する第２の液体付与手段と、
前記第１の液体を付与する際の前記中間転写体上の前記第２の液体の最小厚みが１μｍ以上であり、且つ、前記第１の液体の付与領域だけでなく前記第１の液体の付与領域を囲む周辺領域にも前記第２の液体を付与する吐出制御手段と、を備えたことを特徴とする画像形成装置。
【請求項３】
前記周辺領域は、前記第１の液体の付与領域を外側四方にそれぞれ少なくとも前記第１の液体によるドット径に相当する大きさだけ広げた領域であることを特徴とする請求項２に記載の画像形成装置。
【請求項４】
前記第２の液体の最大厚みが９μｍ以下であることを特徴とする請求項１乃至請求項３のいずれか１項に記載の画像形成装置。
【請求項５】
前記第２の液体の表面張力は前記第１の液体の表面張力以下であることを特徴とする請求項１乃至請求項４のいずれか１項に記載の画像形成装置。
【請求項６】
前記溶媒不溶性材料は色材であることを特徴とする請求項１乃至請求項５のいずれか１項に記載の画像形成装置。
【請求項７】
前記溶媒不溶性材料は、前記記録媒体上での定着性を向上させる材料、耐擦過性を向上させる材料、又は、転写率を向上させる材料であることを特徴とする請求項１乃至請求項６のいずれか１項に記載の画像形成装置。
【請求項８】
中間転写体上に形成された画像を記録媒体に転写することで前記記録媒体上に画像を形成する画像形成方法であって、
溶媒不溶性材料を含有する第１の液体に先立って、前記溶媒不溶性材料を凝集させる機能を有する第２の液体を前記中間転写体上に付与する工程と、
前記中間転写体上に前記第１の液体を付与する工程と、を含み、
前記第１の液体を付与する際の前記中間転写体上の前記第２の液体の最小厚みが１μｍ以上であり、且つ、単位面積当りの前記第２の液体の付与量が単位面積あたりの前記第１の液体の付与量以上であることを特徴とする画像形成方法。
【請求項９】
中間転写体上に形成された画像を記録媒体に転写することで前記記録媒体上に画像を形成する画像形成方法であって、
溶媒不溶性材料を含有する第１の液体に先立って、前記溶媒不溶性材料を凝集させる機能を有する第２の液体を前記中間転写体上に付与する工程と、
前記中間転写体上に前記第１の液体を付与する工程と、を含み、
前記第１の液体を付与する際の前記中間転写体上の前記第２の液体の最小厚みが１μｍ以上であり、且つ、前記第１の液体の付与領域だけでなく前記第１の液体の付与領域を囲む周辺領域にも前記第２の液体を付与することを特徴とする画像形成方法。
【発明の詳細な説明】
【技術分野】
【０００１】
本発明は、画像形成装置及び画像形成方法に係り、特に、中間転写体上に形成された画像を記録媒体に転写することで記録媒体上に画像を形成する中間転写型の画像形成装置及び画像形成方法に関する。
【背景技術】
【０００２】
インクジェット記録装置として、記録ヘッド（インクジェットヘッド）によって中間転写体上に画像を形成してから、その中間転写体上に形成された画像を記録媒体に転写することで記録媒体上に画像を形成する、所謂、中間転写型の記録装置が知られている。従来、このような記録装置では、中間転写体上で高画質を得ることと、高い転写性を得ることを両立することは困難であった。なぜなら、転写剥離性の高い中間転写体は基本的に表面エネルギーの低い、撥液性の高い材質で構成されることが多く、中間転写体上で液流れが発生し、画質を低下させやすいからである。このようなことから、中間転写体上での画像品質を図る様々な方法が提案されている。
【０００３】
例えば、特許文献１や特許文献２では、中間転写体の表面改質を行う方法が提案されている。特許文献１では、フッ素化合物又はシリコーン化合物の少なくとも１つの表面を有する中間転写体にプラズマ処理と界面活性剤付与処理による表面改質を施している。特許文献２では、離型性表面を有する中間転写体にエネルギー付与し、表面改質を施したものを使用している。
【０００４】
また、特許文献３では、色材などの溶媒不溶性材料を含む第１の液体と、第１の液体と反応性を有し凝集体を形成する第２の液体との、２種類の液体を用いる方法が提案されている。同方法によれば、記録ヘッドを用いて中間転写体上に第２の液体を付与してから第１の液体を付与する際、第２の液体付与量を第１の液体付与量よりも少なく供給することによって、中間転写体上でブリーディングやフェザリングの無い画像を形成し、中間転写体上に形成された画像を記録媒体に転写している。
【０００５】
更に、特許文献４では、中間転写体の濡れ性を向上させる第１の材料を中間転写体に付与し、インクの流動性を低下させるための第２の材料を付与し、記録ヘッドからインクを吐出し、中間転写体上に画像を形成する方法が提案されている。
【特許文献１】特開２００５−１４２５５号公報
【特許文献２】特開２００５−１４２５６号公報
【特許文献３】特開２００２−３７０４４１号公報
【特許文献４】特開２００４−１１４６７５号公報
【発明の開示】
【発明が解決しようとする課題】
【０００６】
しかしながら、特許文献１や特許文献２で提案される方法ではシステム負荷が大きいという問題がある。また、特許文献３で提案される方法では比較的低速なシステムでは中間転写体上での高画質化には有効であるが、高速システムの場合には、中間転写体上で第１の液体と第２の液体を混合させてから転写を行うまでの時間が極めて短いために、十分な反応が行われず、転写時にドット割れが発生し、転写後の中間転写体上に残存物が残ってしまうことが判明した。このため、中間転写体上の残存物を除去しなければならず、中間転写体表面のクリーニングに多大な負荷がかかってしまうという問題がある。更に、特許文献４で提案される方法では３材料プロセスでシステム性が悪いという問題がある。
【０００７】
本発明はこのような事情に鑑みてなされたもので、中間転写体上の画像品質を向上させると共に、中間転写体上の画像形成から記録媒体への転写を良好且つ高速に行うことのできる中間転写型の画像形成装置及び画像形成方法を提供することを目的とする。
【課題を解決するための手段】
【０００８】
前記目的を達成するために、請求項１に記載の発明は、中間転写体上に形成された画像を記録媒体に転写することで前記記録媒体上に画像を形成する画像形成装置であって、溶媒不溶性材料を含有する第１の液体を前記中間転写体上に付与する第１の液体付与手段と、前記溶媒不溶性材料を凝集させる機能を有する第２の液体を前記第１の液体に先立って前記中間転写体上に付与する第２の液体付与手段と、前記第１の液体を付与する際の前記中間転写体上の前記第２の液体の最小厚みが１μｍ以上であり、且つ、単位面積当りの前記第２の液体の付与量が単位面積あたりの前記第１の液体の付与量以上であるように制御する吐出制御手段と、を備えたことを特徴とする画像形成装置を提供する。
【０００９】
本発明によれば、中間転写体上の第２の液体中に第１の液体が浸る状態となり、第１の液体全体で反応が促進され、第１の液体に含有される溶媒不溶性材料を直ちに凝集させることができる。これにより、中間転写体上の画像品質が向上すると共に、高速システムを組んだ場合でも、中間転写体から記録媒体への転写を良好に行うことができる。このため、転写後の中間転写体上に残存物を残すことなく、転写後の中間転写体に対するクリーニング負荷を低減することができる。
【００１０】
本明細書において、「記録媒体」とは、一般的な装置で用いられる紙だけでなく、布、金属、板、ガラス、セラミックス、木材、プラスチックフィルム、皮革等を含む。
【００１１】
また、前記目的を達成するために、請求項２に記載の発明は、中間転写体上に形成された画像を記録媒体に転写することで前記記録媒体上に画像を形成する画像形成装置であって、溶媒不溶性材料を含有する第１の液体を前記中間転写体上に付与する第１の液体付与手段と、前記溶媒不溶性材料を凝集させる機能を有する第２の液体を前記第１の液体に先立って前記中間転写体上に付与する第２の液体付与手段と、前記第１の液体を付与する際の前記中間転写体上の前記第２の液体の最小厚みが１μｍ以上であり、且つ、前記第１の液体の付与領域だけでなく前記第１の液体の付与領域を囲む周辺領域にも前記第２の液体を付与する吐出制御手段と、を備えたことを特徴とする画像形成装置を提供する。
【００１２】
本発明によれば、中間転写体上で第２の液体が乾燥して引けの現象が発生しても、第１の液体との反応に十分な量の第２の液体が残る。これにより、中間転写体上の画像品質が向上すると共に、高速システムを組んだ場合でも、中間転写体から記録媒体への転写を良好に行うことができる。このため、転写後の中間転写体上に残存物を残すことなく、転写後の中間転写体に対するクリーニング負荷を低減することができる。
【００１３】
請求項３に記載の発明は、請求項２に記載の画像形成装置であって、前記周辺領域は、前記第１の液体の付与領域を外側四方にそれぞれ少なくとも前記第１の液体によるドット径に相当する大きさだけ広げた領域であることを特徴とする。
【００１４】
請求項３の態様は、中間転写体上で第２の液体が乾燥して引けの現象が発生するような場合でも良好な転写率を得ることのできる好ましい態様である。
【００１５】
請求項４に記載の発明は、請求項１乃至請求項３のいずれか１項に記載の画像形成装置であって、前記第２の液体の最大厚みが９μｍ以下であることを特徴とする。
【００１６】
請求項４の態様によれば、第１の液体の所望の拡がり率を達成することができ、画像品質が向上する。
【００１７】
請求項５に記載の発明は、請求項１乃至請求項４のいずれか１項に記載の画像形成装置であって、前記第２の液体の表面張力は前記第１の液体の表面張力以下であることを特徴とする。
【００１８】
請求項５の態様によれば、第２の液体は、第１の液体中の溶媒不溶性材料を凝集させる機能だけでなく、第１の液体の濡れ性を向上させる機能も有する。このため、第２の液体と反応した第１の液体の濡れ性が向上するので、第１の液体の拡がり率を１．５以上４．０以下にすることができ、中間転写体上での画像品質を向上させることができる。
【００１９】
請求項６に記載の発明は、請求項１乃至請求項５のいずれか１項に記載の画像形成装置であって、前記溶媒不溶性材料は色材であることを特徴とする。
【００２０】
請求項７に記載の発明は、請求項１乃至請求項６のいずれか１項に記載の画像形成装置であって、前記溶媒不溶性材料は、前記記録媒体上での定着性を向上させる材料、耐擦過性を向上させる材料、又は、転写率を向上させる材料であることを特徴とする。
【００２１】
また、前記目的を達成するために、請求項８に記載の発明は、中間転写体上に形成された画像を記録媒体に転写することで前記記録媒体上に画像を形成する画像形成方法であって、溶媒不溶性材料を含有する第１の液体に先立って、前記溶媒不溶性材料を凝集させる機能を有する第２の液体を前記中間転写体上に付与する工程と、前記中間転写体上に前記第１の液体を付与する工程と、を含み、前記第１の液体を付与する際の前記中間転写体上の前記第２の液体の最小厚みが１μｍ以上であり、且つ、単位面積当りの前記第２の液体の付与量が単位面積あたりの前記第１の液体の付与量以上であることを特徴とする画像形成方法を提供する。
【００２２】
また、前記目的を達成するために、請求項９に記載の発明は、中間転写体上に形成された画像を記録媒体に転写することで前記記録媒体上に画像を形成する画像形成方法であって、溶媒不溶性材料を含有する第１の液体に先立って、前記溶媒不溶性材料を凝集させる機能を有する第２の液体を前記中間転写体上に付与する工程と、前記中間転写体上に前記第１の液体を付与する工程と、を含み、前記第１の液体を付与する際の前記中間転写体上の前記第２の液体の最小厚みが１μｍ以上であり、且つ、前記第１の液体の付与領域だけでなく前記第１の液体の付与領域を囲む周辺領域にも前記第２の液体を付与することを特徴とする。
【発明の効果】
【００２３】
本発明によれば、中間転写体上の第２の液体中に第１の液体が浸る状態となり、第１の液体全体で反応が促進され、第１の液体に含有される溶媒不溶性材料を直ちに凝集させることができる。これにより、中間転写体上の画像品質が向上すると共に、高速システムを組んだ場合でも、中間転写体から記録媒体への転写を良好に行うことができる。このため、転写後の中間転写体上に残存物を残すことなく、転写後の中間転写体に対するクリーニング負荷を低減することができる。
【発明を実施するための最良の形態】
【００２４】
以下、添付図面に従って本発明の好ましい実施の形態について詳説する。
【００２５】
本発明の一実施形態のインクジェット記録装置は、２種類の液体として、色材等の溶媒不溶性材料を含有するインク（第１の液体）と、インクと反応性がありインク中の溶媒不溶性材料を凝集させる機能をもつ処理液（第２の液体）を用いて、中間転写体上に画像を形成し、中間転写体上に形成された画像を記録媒体に転写することで記録媒体上に画像を形成する、中間転写型のインクジェット記録装置である。
【００２６】
図１は本実施形態のインクジェット記録装置の概略構成を示した模式図である。図示するように、本実施形態のインクジェット記録装置１０は、中間転写体１２、処理液供給部１４、マーキング部１６、及び転写部１８を主たる構成とし、更に、溶媒除去部２０、クリーニング部２２、及び画像定着部２４を備えている。
【００２７】
中間転写体１２は所定幅を有する無端状のベルトで構成され、複数のローラー２６に巻き掛けられた構造となっている。本実施形態では、一例として４つのローラー２６Ａ〜２６Ｄが用いられている。中間転写体１２としてドラム状部材や板状部材を用いる態様もある。
【００２８】
複数のローラー２６のうち少なくとも１つの主ローラーにはモータ（不図示）の動力が伝達され、このモータの駆動により中間転写体１２が各ローラー２６（２６Ａ〜２６Ｄ）の外側を図１の反時計回りの方向（以下、「転写体回転方向」という。）に回転するように構成されている。
【００２９】
処理液供給部１４には、処理液（Ｓ）に対応する記録ヘッド（処理液用ヘッド）３０Ｓが設けられている。処理液用ヘッド３０Ｓは中間転写体１２に対向する吐出面から処理液を吐出する。これにより、中間転写体１２の記録面１２ａ上に処理液が付与される。
【００３０】
マーキング部１６は、処理液供給部１４の転写体回転方向下流側に配置される。マーキング部１６には、ブラック（Ｋ）、シアン（Ｃ）、マゼンダ（Ｍ）、イエロー（Ｙ）の各色インクに対応する記録ヘッド（インク用ヘッド）３０Ｋ、３０Ｃ、３０Ｍ、３０Ｙが設けられている。各インク用ヘッド３０Ｋ、３０Ｃ、３０Ｍ、３０Ｙは中間転写体１２に対向する吐出面からそれぞれ対応する各色インクを吐出する。これにより、中間転写体１２の記録面１２ａ上に各色インクが付与される。
【００３１】
処理液用ヘッド３０Ｓ、及びインク用ヘッド３０Ｋ、３０Ｃ、３０Ｍ、３０Ｙはいずれも、中間転写体１２上に形成される画像の最大記録幅（最大記録幅）に渡って多数の吐出口（ノズル）が形成されたフルラインヘッドとなっている。中間転写体１２の幅方向（図１の紙面表裏方向）に短尺のシャトルヘッドを往復走査しながら記録を行うシリアル型のものに比べて、中間転写体１２に対して高速に画像記録を行うことができる。もちろん、シリアル型であっても比較的高速記録が可能な方式、例えば、１回の走査で１ラインを形成するワンパス記録方式に対しても本発明は好適である。
【００３２】
本実施形態では、各記録ヘッド（処理液用ヘッド３０Ｓ、及びインク用ヘッド３０Ｋ、３０Ｃ、３０Ｍ、３０Ｙ）は全て同一構造であり、以下では、これらを代表して符号３０で記録ヘッドを表すものとする。記録ヘッド３０の構造については後で説明する。尚、本発明の実施に際しては、各記録ヘッドが全て同一構造である態様に限定されず、例えば、処理液用ヘッド３０Ｓとインク用ヘッド３０Ｋ、３０Ｃ、３０Ｍ、３０Ｙが別構造であってもよい。
【００３３】
処理液用ヘッド３０Ｓから中間転写体１２に向かって処理液が吐出されると、中間転写体１２の回転に伴って、中間転写体１２の処理液が付与された領域は各インク用ヘッド３０Ｋ、３０Ｃ、３０Ｍ、３０Ｙの真下に順次移動し、各インク用ヘッド３０Ｋ、３０Ｃ、３０Ｍ、３０Ｙからそれぞれ対応する各色インクが吐出される。上述したように、処理液はインク中の溶媒不溶性材料（色材等）を凝集させる機能を有している。このため、中間転写体１２上に付与されたインクは処理液との反応によって高粘度化し、同一色又は異なる色間のインク滴同士の着弾干渉が防止され、中間転写体１２上に高品質な画像が形成される。
【００３４】
溶媒除去部２０は、マーキング部１６の転写体回転方向下流側に配置される。溶媒除去部２０には、中間転写体１２を挟んでローラー２６Ａに対向する位置に溶媒除去ローラー３２が設けられている。溶媒除去ローラー３２はローラー状の多孔質体で構成され、中間転写体１２の記録面１２ａに当接させるように配置されている。他の態様として、エアナイフで余剰な溶媒を中間転写体１２から取り除く方式、加熱して溶媒を蒸発させ除去する方式等がある。
【００３５】
溶媒除去部２０では、溶媒除去ローラー３２によって中間転写体１２の記録面１２ａ上の溶媒を除去する。このため、中間転写体１２の記録面１２ａ上に処理液が多く付与されるような場合でも、溶媒除去部２０で溶媒が除去されるため、転写部１８で記録媒体３４に多量の溶媒（分散媒）が転写されることはない。従って、記録媒体３４として紙が用いられるような場合でも、カール、カックルといった水系溶媒に特徴的な問題が発生しない。
【００３６】
転写部１８は、溶媒除去部２０の転写体回転方向下流側に配置される。転写部１８には、中間転写体１２を挟んでローラー２６Ｂに対向する位置に加圧ローラー３６が設けられている。記録媒体３４は中間転写体１２と加圧ローラー３６の間を通過するように図１の左側から右側に搬送される。中間転写体１２と加圧ローラー３６の間を通過する際、中間転写体１２の記録面１２ａに記録媒体３４の表面側を接触させ、記録媒体３４の裏面側から加圧ローラー３６で加圧することで、中間転写体１２の記録面１２ａに形成された画像が記録媒体３４上に転写形成される。このとき、加圧ローラー３６或いはローラー２６Ｂを加熱するようにしても良い。この場合、転写性を向上させることができる。
【００３７】
クリーニング部２２は、転写部１８の転写体回転方向下流側であって、処理液供給部１４の転写体回転方向上流側に配置される。クリーニング部２２には、中間転写体１２を挟んでローラー２６Ｃに対向する位置にクリーニングローラー３８が設けられ、中間転写体１２の記録面１２ａに当接させるように配置され、中間転写体１２の記録面１２ａ上の転写後の残留物等の除去を行う。
【００３８】
クリーニングローラー３８としては、柔軟性ある多孔質部材からなり、洗浄液付与手段にて洗浄液を染み込みながら中間転写体表面（記録面１２ａ）を洗浄する方式，表面にブラシを備え、洗浄液を中間転写体表面に付与しながらブラシで中間転写体表面のゴミを除去する方式、また、柔軟性のあるブレードをローラー表面に備えて中間転写体表面の残留物を掻き落とす方式などがある。クリーニングローラー３８表面の線速は中間転写体表面の線速と等しくするよりも、遅く、または速く設定した方が残留物の除去率を高くすることができる。クリーニングローラー３８表面と中間転写体表面の速度差にしたがって中間転写体表面にせん断力が生じ、残留物を効率的に除去することが可能となる。
【００３９】
画像定着部２４は、転写部１８の記録媒体排出側（図１の右側）に配置される。画像定着部２４には、記録媒体３４の表裏面に２つの定着ローラー４０Ａ、４０Ｂが設けられており、これら定着ローラー４０Ａ、４０Ｂで記録媒体３４上に転写形成された画像を加圧、加熱することで、記録媒体３４上の記録画像の定着性を向上させることができる。
【００４０】
次に、記録ヘッド３０の構造について説明する。
【００４１】
図２は記録ヘッド３０の吐出面を示した平面図であり、図３は記録ヘッド３０の一部断面図（図２中３−３線に沿う断面図）である。図２において、ヘッド３０の長手方向（ヘッド長手方向）は図１の紙面表裏方向に相当する。本実施形態の記録ヘッド３０は、中間転写体１２上に形成される画像の最大記録幅に対応する長さに渡って多数の吐出口（ノズル）５１が形成されたフルラインヘッドで構成されている。図示するように、各ノズル５１はヘッド長手方向及びヘッド長手方向に直交しない斜めの方向に沿って２次元状（マトリクス状）に配列されており、このような高密度なノズル配置によって、中間転写体１２上に高解像な画像記録を実現することができる。
【００４２】
この記録ヘッド３０には、図３に示すように、ノズル５１に連通する圧力室５２がノズル５１毎に設けられている。圧力室５２の一端には供給口５４が形成されており、圧力室５２は供給口５４を介して共通流路５５に連通している。共通流路５５には所定の液体（処理液又は各色インク）が貯留されており、共通流路５５から圧力室５２に対して液体が供給される。
【００４３】
圧力室５２の一壁面（図３の上面）は振動板５６で構成されており、振動板５６上の圧力室５２に対応する位置には圧電素子５８が設けられている。圧電素子５８の上面には、個別電極５７が設けられている。尚、本実施形態では振動板５６が導電材料で構成され、圧電素子５８に対する共通電極を兼ねている。
【００４４】
かかる構成により、圧電素子５８に駆動電圧が印加されると、圧電素子５８の変位に応じて圧力室５２内の液体が加圧され、ノズル５１から液滴が吐出される。吐出後、共通流路５５から圧力室５２に液体が供給される。
【００４５】
尚、本実施形態では、圧電素子５８を利用して吐出を行う圧電方式の態様を例示したが、本発明の実施に際してはこれに限定されず、例えば、ヒータに代表される電気熱変換素子を利用して吐出を行うサーマル方式やその他各種方式であってもよい。
【００４６】
図４はインクジェット記録装置１０のシステム構成を示す要部ブロック図である。インクジェット記録装置１０は、通信インターフェース７０、システムコントローラ７２、画像メモリ７４、モータドライバ７６、ヒータドライバ７８、プリント制御部８０、画像バッファメモリ８２、処理液用ヘッドドライバ８３、インク用ヘッドドライバ８４等を備えている。
【００４７】
通信インターフェース７０は、ホストコンピュータ８６から送られてくる画像データを受信するインターフェース部である。通信インターフェース７０にはシリアルインターフェースやパラレルインターフェースを適用することができる。この部分には、通信を高速化するためのバッファメモリ（不図示）を搭載してもよい。
【００４８】
ホストコンピュータ８６から送出された画像データは通信インターフェース７０を介してインクジェット記録装置１０に取り込まれ、一旦画像メモリ７４に記憶される。画像メモリ７４は、通信インターフェース７０を介して入力された画像を一旦格納する記憶手段であり、システムコントローラ７２を通じてデータの読み書きが行われる。画像メモリ７４は、半導体素子からなるメモリに限らず、ハードディスクなど磁気媒体を用いてもよい。
【００４９】
システムコントローラ７２は、通信インターフェース７０、画像メモリ７４、モータドライバ７６、ヒータドライバ７８等の各部を制御する制御部である。システムコントローラ７２は、中央演算処理装置（ＣＰＵ）及びその周辺回路等から構成され、ホストコンピュータ８６との間の通信制御、画像メモリ７４の読み書き制御等を行うとともに、各部のモータ８８やヒータ８９を制御する制御信号を生成する。
【００５０】
モータドライバ７６は、システムコントローラ７２からの指示に従ってモータ８８を駆動するドライバ（駆動回路）である。ヒータドライバ７８は、システムコントローラ７２からの指示に従ってヒータ８９を駆動するドライバである。
【００５１】
プリント制御部８０は、システムコントローラ７２の制御に従い、画像メモリ７４内の画像データから印字制御用の信号を生成するための各種加工、補正などの処理を行う信号処理機能を有し、生成した印字制御信号（ドットデータ）を各ヘッドドライバ８３、８４に供給する制御部である。プリント制御部８０において所要の信号処理が施され、該画像データに基づいて各ヘッドドライバ８３、８４を介してそれぞれ対応する記録ヘッド３０（３０Ｓ、３０Ｋ、３０Ｍ、３０Ｃ、３０Ｙ）の液滴の吐出量や吐出タイミングの制御が行われる。これにより、所望のドットサイズやドット配置が実現される。尚、本発明の特徴である吐出制御はプリント制御部８０の吐出制御部８０ａで行われる。
【００５２】
プリント制御部８０には画像バッファメモリ８２が備えられており、プリント制御部８０における画像データ処理時に画像データやパラメータなどのデータが画像バッファメモリ８２に一時的に格納される。なお、図４において画像バッファメモリ８２はプリント制御部８０に付随する態様で示されているが、画像メモリ７４と兼用することも可能である。また、プリント制御部８０とシステムコントローラ７２とを統合して１つのプロセッサで構成する態様も可能である。
【００５３】
各ヘッドドライバ８３、８４（処理液用ヘッドドライバ８３、インク用ヘッドドライバ８４）は、プリント制御部８０から与えられるドットデータに基づいてそれぞれ対応する記録ヘッド３０（３０Ｓ、３０Ｋ、３０Ｃ、３０Ｍ、３０Ｙ）の各圧電素子５８（図３参照）を駆動するための駆動信号を生成し、圧電素子５８に生成した駆動信号を供給する。各ヘッドドライバ８３、８４には記録ヘッド３０の駆動条件を一定に保つためのフィードバック制御系を含んでいてもよい。
【００５４】
次に、本発明の特徴部分である吐出制御について詳説する。
【００５５】
本実施形態のインクジェット記録装置１０は、前述したように、２種類の液体（処理液及びインク）を用いて、中間転写体１２上に画像を形成し、中間転写体１２上に形成された画像を記録媒体３４に転写することで記録媒体３４上に画像を形成する中間転写型の記録装置であり、８０ｐｐｍ以上の高速記録が可能な高速システムである。本実施形態では、このような高速システムにおける転写不良を防ぐために、以下に示す２つの条件（第１及び第２の吐出制御条件）のいずれか一方の条件を満たすような吐出制御を行っている。
【００５６】
まず、第１の吐出制御条件について説明する。第１の吐出制御条件は、中間転写体１２上にインク滴が着弾する際の（中間転写体１２上の）処理液（層）の最小厚みが１μｍ以上であり、且つ、単位面積当りの処理液付与量が単位面積当りのインク付与量以上であるという条件である。尚、「処理液の最小厚み」とは、中間転写体１２上に形成された処理液層のうち最も厚さが小さくなる部分の厚みをいう。また「処理液の最大厚み」とは、中間転写体１２上に形成された処理液層のうち最も厚さが大きくなる部分の厚みをいう。
【００５７】
図５は良好な転写の必要条件を説明するための図である。同図の（ａ）は転写部１８の一部拡大図であり、中間転写体１２上に着弾したインク滴（インク着弾ドット）が記録媒体３４に転写される様子を示している。中間転写体１２とインク着弾ドットの間の付着力をｆ１、インク着弾ドットの凝集力をｆ２、記録媒体３４とインク着弾ドットの間の付着力をｆ３とするとき、中間転写体１２から記録媒体３４に対してインク着弾ドットを良好に転写するためには、次式ｆ２＞ｆ３＞ｆ１を満足することが必要条件となる。同図の（ｂ）は各力ｆ１,ｆ２,ｆ３の関係を一例として示したグラフであり、良好な転写領域（転写温度範囲）はＰで示した範囲となる。このような関係において、インク着弾ドットの凝集力をｆ２からｆ２′（＞ｆ２）に向上させることができれば、良好な転写領域（転写温度範囲）をＰ′（＞Ｐ）に広げることができ、転写率を向上させることができる。
【００５８】
以上から、転写率を向上させるためには、中間転写体１２上に着弾するインク滴（インク着弾ドット）の凝集力を向上させることが必要であり、そのためには、本実施形態の如く、中間転写体１２に対してインクに先立って処理液を付与することが必要となる。処理液の付与方法としては、次に説明するように、中間転写体１２上に付与された処理液中にインク滴が浸る状態にすることが好ましい。
【００５９】
図６は処理液及びインクの付与量と転写率との関係を示した図である。
【００６０】
同図の（ａ）に示すように、単位面積当りの処理液の付与量が単位面積当りのインクの付与量未満の場合、中間転写体１２上に着弾したインク滴は、中間転写体１２に先に形成された処理液中に完全に浸らず、処理液と反応しない未反応領域（十分に反応しない領域含む）が生じてしまう。このような未反応領域が存在する状態で転写が行われると、図示するように、中間転写体１２上のインク滴（インク着弾ドット）は引きちぎられてしまい（このような現象を「ドット割れ」という。）、中間転写体１２上の画像が記録媒体３４に正確に転写されず、転写後の中間転写体１２に残存物が残ってしまう。
【００６１】
一方、同図の（ｂ）に示すように、単位面積当りの処理液の付与量が単位面積当りのインクの付与量以上の場合、中間転写体１２上に着弾したインク滴は処理液中に浸るので、インク滴の全領域で処理液との反応が進み、中間転写体１２から記録媒体３４への転写時にインク滴自体が弾性的特性を示すのでドット割れが生じることなく、中間転写体１２上の画像が記録媒体３４に正常に転写される。
【００６２】
画質の観点ではインク滴の拡がり率は１．５以上４．０以下が好ましい。尚、拡がり率とは、飛翔中のインク滴の直径Ｄ１に対する着弾後安定状態にあるインク滴（インク着弾ドット）の直径Ｄ２の比（Ｄ２／Ｄ１）である。
【００６３】
図７は、インク滴の拡がり率とその高さの関係を示したグラフである。同図において、例えば、インク滴の体積が２ｐｌの場合には、所望の拡がり率（１．５以上４．０以下）を満足するインク滴の高さ（厚み）は実測で０．９〜４．６μｍとなる。このため、中間転写体１２上に付与される処理液（層）の最小厚みを１μｍ以上にする必要がある。インク滴の体積が他の場合（３ｐｌ、７ｐｌ）についても同様であり、インク滴の体積にかかわらず、処理液の最小厚みは１μｍ以上にすることが好ましい。
【００６４】
一方、処理液の最大厚みが大きいほど、凝集色材が中間転写体１２に馴染まずに処理液中で浮遊し、中間転写体１２上での画像乱れが発生しやすくなることから、中間転写体１２上の処理液の最大厚みは９μｍ以下であることが好ましい。
【００６５】
以上から、転写不良を防止するためには、中間転写体１２上にインク滴が着弾する際の処理液の最小厚みが１μｍ以上であり、且つ、単位面積当りの処理液付与量が単位面積当りのインク付与量以上であるという条件を満足するように吐出制御を行うことが好ましい。これにより、中間転写体１２上の処理液中にインク滴が浸る状態となり、インク滴全体で反応が促進され、インクに含有される溶媒不溶性材料（色材等）を直ちに凝集させることができる。従って、中間転写体１２上の画像品質が向上すると共に、高速システムを組んだ場合でも、中間転写体１２から記録媒体３４への転写を良好に行うことができる。このため、転写後の中間転写体１２上に残存物を残すことなく、転写後の中間転写体１２に対するクリーニング負荷を低減することができる。
【００６６】
複数の色インクが用いられる場合、単位面積当りの処理液の付与量が、各色インクのうち単位面積当りの付与量が最大となる色インクの付与量以上となるようにすればよい。本実施形態の場合では４種類の色インク（ＫＣＭＹ）が用いられるが、画像領域中の単位面積当りの処理液の付与量をＶＳ（g/ｍ２）、ブラック、シアン、マゼンダ、イエローの各色インクの単位面積当りの付与量をＶＫ（g/ｍ２）、ＶＣ（g/ｍ２）、ＶＭ（g/ｍ２）、ＶＹ（g/ｍ２）とすると、次式が満たされるように処理液を付与すればよい。
【００６７】
ＶＳ≧ＶＫ,  ＶＣ,  ＶＭ,  ＶＹ
次に、第２の吐出制御条件について説明する。第２の吐出制御条件は、中間転写体１２上にインク滴が着弾する際の処理液の最小厚みが１μｍ以上であり、且つ、インク滴が着弾する画像領域だけでなく、その画像領域を囲む周辺領域にも処理液を付与するという条件である。
【００６８】
一般的に、転写率を向上させるため中間転写体１２は撥液性の高い材質で構成されることが多く、中間転写体１２上に着弾した処理液は球形に近い形状となり、その乾燥速度は速く、２ｐｌの液滴の乾燥時間（温度２５℃、湿度５０％）は約０．１４ｓとなる。本実施形態では、中間転写体１２上に処理液が付与されてからインク滴が付与されるまでのタイムラグは０．１ｓ程度である。即ち、処理液の乾燥時間と処理液付与からインク付与までのタイムラグが略一致することから、中間転写体１２上での処理液の乾燥を考慮する必要がある。尚、記録媒体に処理液やインクを直接付与する方式の場合には処理液は記録媒体に直ちに浸透するため処理液の乾燥は問題となりにくい。
【００６９】
このようなことから、中間転写体１２上に付与された処理液が乾燥して引けの現象が発生しても、インク滴との反応に十分な量の処理液が中間転写体１２上に残った状態でインク滴が着弾するように、中間転写体１２上にインク滴が着弾する際の処理液の最小厚みが１μｍ以上であり、且つ、インク滴が着弾する画像領域だけでなく、その画像領域を囲む周辺領域にも処理液を付与することが好ましい。尚、インク滴が着弾する際の処理液の最小厚みを１μｍ以上とする理由は、前述した第１の吐出制御条件と同様であるので説明は省略する。
【００７０】
図８は第２の吐出制御条件における処理液の付与例を示した図である。同図において、内側に示した１又は複数の塗り潰しドットは処理液及びインク滴の着弾位置を表しており、こられ塗り潰しドットを囲む非塗り潰し（白抜き）ドットは処理液の着弾位置を表している。インク滴が着弾する画像領域のｘ方向の長さをｌｘ、ｙ方向の長さをｌｙ、インク滴の着弾によって形成されるドット（インク着弾ドット）のドット径をＤとしたとき、図示するように、ｌｘ×ｌｙの画像領域を内部に含む（ｌｘ＋２Ｄ）×（ｌｙ+２Ｄ）の領域に対して処理液が付与される。
【００７１】
このように第２の吐出制御条件では、インク滴が着弾する画像領域に対して処理液を付与するだけでなく、その画像領域を囲む周辺領域、好ましくは画像領域から外側四方にそれぞれ少なくともインク着弾ドットのドットに相当する大きさだけ広げた領域にも処理液を付与する。
【００７２】
これにより、中間転写体１２上で処理液が乾燥して引けの現象が発生しても、インク滴との反応に十分な量の処理液が残る。従って、中間転写体１２上の画像品質が向上すると共に、高速システムを組んだ場合でも、中間転写体１２から記録媒体３４への転写を良好に行うことができる。このため、転写後の中間転写体１２上に残存物を残すことなく、転写後の中間転写体１２に対するクリーニング負荷を低減することができる。
【００７３】
前述した各吐出制御条件において、処理液の表面張力はインクの表面張力以下であることが好ましい。これにより、処理液はインクの凝集反応を促す機能だけでなく、インクの濡れ性を向上させる機能を有することになるので、インクの濡れ性が向上し、中間転写体１２上に着弾するインク滴の拡がり率を１．５以上４．０以下にすることができ、中間転写体１２上の画像品質を向上させることができる。
【００７４】
また、インク中に含まれる溶媒不溶性材料の含有濃度としては、画質や吐出安定性の観点から、１重量％〜２０重量％の範囲であることが好ましい。不溶性材料の含有濃度がこの範囲より小さい場合には画質として充分な光学濃度を得られず、一方、この範囲より大きい場合にはインク粘度の上昇によって吐出安定性が低下するためである。
【００７５】
また、各吐出制御条件において、処理液が中間転写体１２上で略均一厚みとなるように付与されることが好ましい。更に、好ましくは、中間転写体１２上で処理液の拡がり率を２以上とする。また、中間転写体１２に対する処理液の接触角を７０度以下とする。また、中間転写体１２の材質を剥離性の高い低表面エネルギー材料（例えば、シリコーンゴム、フッ素ゴム等）で構成する。また、処理液が界面活性剤を含むようにする。
【００７６】
また、各吐出制御条件において、図９の（ａ）、（ｂ）に示すように、中間転写体１２上に着弾したインク滴（インク着弾ドット）の表面に処理液が即座に濡れ拡がることが好ましい。これにより、同一色又は異なる色間のインク滴同士の着弾干渉を防止することができる。これを実現するためには、例えば、処理液に低分子の界面活性剤を入れればよい。より好ましくは、中間転写体１２上にインク滴が着弾してから処理液が塗れ拡がるまでの時間は３０μｓ以下、また、塗れ拡がる速度は０．５ｍ／ｓ以上とする。
【００７７】
本実施形態では、処理液用ヘッド３０Ｓから処理液を吐出することによって中間転写体１２上に処理液を付与する態様としたが、本発明の実施に際しては、処理液の付与方法は特に限定されるものではない。
【００７８】
本実施形態の変形例として、処理液用ヘッド３０Ｓに代えて、塗布ローラーを用いて中間転写体１２上に処理液を塗布する態様もある。中間転写体１２上のインク滴が着弾する画像領域を含むほぼ全面に処理液を容易に付与することができる。本変形例において、好ましくは、中間転写体１２上の処理液の厚みを１〜５μｍとする。中間転写体１２上の処理液の厚みを一定にする手段を設けてもよい。例えば、エアナイフを用いる方法や、尖鋭な角を有する部材を処理液厚みの規定量のギャップを中間転写体１２との間に設けて設置する方法がある。
【００７９】
尚、本実施形態では、第１の液体として色材を含有するインクを用いた態様を示したが、本発明の実施に際してはこれに限定されない。例えば、金属を含有する液体を第１の液体として用いて、記録媒体上に配線パターンを転写形成する態様もある。
【実施例】
【００８０】
次に、実施例を挙げて本発明を更に具体的に説明する。
【００８１】
［インク］
インクとして、下記の組成のものを使用した。
・  顔料                        ５重量％
・  グリセリン                ２０重量％
・  ジエチレングリコール      １０重量％
・  オリフィン                  １重量％
・  ラテックス                  ５重量％
・  純水                      ５９重量％
顔料としては，C.I.ピグメントイエロー12，13，17，55，74，97，120，128，151，155，及び180，またはC.I.ピグメントレッド122，C.I.ピグメントバイオレット19，C.I.ピグメントレッド57：1，146，およびC.I.ピグメントブルー15：3，のいずれでも良いがサンプルとしてピグメントレッドを使用した。
【００８２】
ラテックスとして、記録メディア（記録媒体）への定着性向上、耐擦過性向上、転写率向上を目的として、スチレン-イソプレン系ラテックスを使用した。
【００８３】
定着性向上、耐擦過性向上、及び転写率向上材料としては、アクリル系、ウレタン系、ポリエステル系、ビニル系、スチレン系などが考えられる。定着性向上、耐擦過性向上、及び転写率向上材料といった機能を充分に発現させるには、比較的高分子のポリマーを高濃度（１重量％〜２０重量％）に添加することが必要である。しかし、上記材料をインクに溶解させて添加しようとすると高粘度化し、吐出性が低下する。適切な材料を高濃度に添加し、且つ、粘度上昇を抑えるには、ラテックスとして添加する手段が有効である。ラテックス材料としては、アクリル酸アルキル共重合体、カルボキシ変性ＳＢＲ（スチレン−ブタジエンラテックス）、ＳＩＲ（スチレン−イソプレン）ラテックス、ＭＢＲ（メタクリル酸メチル−ブタジエンラテックス）、ＮＢＲ（アクリロニトリル−ブタジエンラテックス）などが考えられる。
【００８４】
ラテックスのガラス転移点Ｔｇはプロセス上、転写時に影響の強い値で、常温安定性と加熱後の転写性を考慮すると５０℃以上１２０℃以下であることが好ましい。更に、最低造膜温度ＭＦＴはプロセス上、定着時に影響の強い値で１００℃以下、更に好ましく５０℃以下である。
【００８５】
分散性良好なラテックス材質を複数種類用意してインクを作製し、アート紙上にベタ画像を得て、アート紙とのテープ剥離テスト、擦り試験、転写率測定を実施した。その結果を表１に示す。
【００８６】
【表１】
2007268802.tif 000003
【００８７】
表１に示すとおり、定着性、耐擦過性、転写率の全ての項目においてアクリル性ラテックスを使用したものが良好であった。ＳＢＲについてはアート紙表面層にＳＢＲ材料を含有しているため、定着性、耐擦過性、転写率ともに良好な結果を得られたと考えられる。
【００８８】
本実施例では、ラテックスをインクに添加しているが、処理液に添加しても、また、別ヘッドにてラテックス分散物のみを転写前に添加しても同程度の定着性が得られることは確認済みである。
【００８９】
２５℃環境下でインク表面張力１０ｍＮ／ｍから５０ｍＮ／ｍ、粘度は１ｍＰａ・ｓから２０ｍＰａ・ｓの範囲となるように設定した。本実施例では、インク表面張力が３１．２ｍＮ／ｍ、粘度４．９ｍＰａ・ｓとした。
【００９０】
［処理液］
処理液として、下記の組成のものを用いた。
・  フッ素系界面活性剤    ０．１重量％
・  純水                ９９．９重量％
処理液は、低ｐＨの液体であり、インクと混合するとインク中の色材を凝集させる機能を有している。中間転写体１２として用いられるシリコーンゴムに対する処理液の接触角は６２度であり比較的濡れ易いものであった。
【００９１】
２５℃環境下で処理液の表面張力１０ｍＮ／ｍから５０ｍＮ／ｍ、粘度は１ｍＰａ・ｓから２０ｍＰａ・ｓに設定した。本実施例では、処理液の表面張力が２８．０ｍＮ／ｍ、粘度３．１ｍＰａ・ｓとした。
【００９２】
［画像形成装置］
画像形成装置として、図１に示したインクジェット記録装置１０のうち、中間転写体１２、処理液供給部１４、マーキング部１６、及び転写部１８から成る基本構成に溶媒除去部２０を加えた装置構成のものを使用した。具体的な装置構成や条件は以下に示すとおりである。
・  中間転写体１２として、シリコーンゴムシートＳＲシリーズ０．５ｍｍ厚（タイガースポリマー社製）を使用した。
・  処理液供給部１４及びマーキング部１６にはそれぞれ１個の記録ヘッドが備えられた最小構成とし、記録ヘッドとして、圧電方式（ピエゾ方式）でＰＸ−Ｇ９２０（エプソン社製）を使用した。尚、処理液供給部１４の記録ヘッド（処理液用ヘッド）は、マーキング部１６の記録ヘッド（インク用ヘッド）よりも低解像度のものを使用することも可能であるが、本実施例では同性能のものを使用した。
・  溶媒除去ローラー２６として、金属多孔質体（酸化チタン粒子を焼結した材質）を使用した。
・  転写部１８における転写圧を１０ｋＰａとし、転写部１８における各ローラー３６、２６Ｂの加熱温度を８０℃とした。
・  中間転写体１２の搬送速度（回転速度）及び記録媒体３４の搬送速度はいずれも０．５ｍ／ｓ（１２０ｐｐｍ相当）に設定した。
・  記録媒体３４としては、アート紙（特菱アート、三菱製紙製）を用いた。
【００９３】
［評価１］
このような処理液、インク及び画像形成装置を用いて、処理液の１滴当りの液滴量を１４ｐｌ、インクの１滴当りの液滴量を７ｐｌと設定し、インク滴の拡がり率が３．５〜４．０となるようにして、次の転写実験を行った。尚、本発明の実施に際しては、各記録ヘッド３０から吐出される１滴当りの液滴量は特に限定されるものでなく、処理液＞インク、処理液＝インク、処理液＜インク、のいずれでもよい。
【００９４】
本転写実験では、中間転写体１２上に付与される処理液の最小厚みと、単位面積当りのインク付与量に対する単位面積当りの処理液付与量の比をそれぞれ適当な範囲で変化させながら、中間転写体１２上に略真円のインク着弾ドットを形成し、中間転写体１２上の任意の２５個（＝５×５）のインク着弾ドットのうち、何個が欠けなく完全に転写できたかを計測した。このとき、完全に転写された割合を転写率とし、転写率９０％未満の場合を×、転写率９０％以上９５％未満の場合を○、転写率９５％以上の場合を◎として判定を行った。その結果を表２に示す。
【００９５】
【表２】
2007268802.tif 000004
【００９６】
表２から分かるように、処理液の最小厚みが１μｍ以上であり、且つ、単位面積当りのインク付与量に対する単位面積当りの処理液付与量の比が１以上であるというような条件を満たす場合には９０％以上の転写率を得られることが分かった。一方、前記条件を満たさない場合には転写率が９０％未満となり、転写不良が発生しやすいことが確認された。
【００９７】
［評価２］
また、処理液の１滴当りの液滴量を７ｐｌ、インクの１滴当りの液滴量を７ｐｌに設定し、処理液の最小厚みが３μｍとなるようにして、次の転写実験を行った。
【００９８】
本転写実験では、処理液の付与領域を変化させながら、図７の（ａ）に示すような１つのインク着弾ドットから成る画像を２５個作成し、転写できた画像数を計測した。このとき、正常に転写された画像の割合を転写成功率とし、転写成功率９０％未満の場合を×、転写成功率９０％以上９５％未満の場合を○、転写成功率９５％以上の場合を◎として判定を行った。その結果を表３に示す。
【００９９】
【表３】
2007268802.tif 000005
【０１００】
表３から分かるように、画像領域から外側四方にそれぞれ少なくとも１ドットずつ広げた領域に対して処理液を付与する場合には９０％以上の転写成功率を得られることが分かった。また、（ｌｘ＋３Ｄ）×（ｌｙ＋３Ｄ）以上の広い領域に対してはいずれも転写成功率１００％と良好な結果を得られることを確認した。ただし、処理液量低減の観点から、処理液の付与領域を（ｌｘ＋３Ｄ）×（ｌｙ＋３Ｄ）以下の領域とすることが望ましい。
【０１０１】
一方、画像領域から外側四方に１ドット未満広げた領域に処理液を付与する場合には転写成功率が９０％未満となり、転写不良が発生しやすいことが確認された。
【０１０２】
［評価３］
処理液の１滴当りの液滴量を７ｐｌ、インクの１滴当りの液適量を７ｐｌに設定し、次の転写実験を行った。
【０１０３】
本転写実験では、処理液の最大厚みを変化させた場合のインク滴の拡がり率を計測した。その際、中間転写体１２の材質として、シリコーンゴム（処理液との接触角：２７°）とＰＥＴ（処理液との接触角：７°）のそれぞれを利用した場合について計測を行った。その結果を図１０に示す。
【０１０４】
前述したように画像品質の観点からインク滴の拡がり率は１．５から４．０が望ましく、中間転写体１２の材質がシリコーンゴム（処理液との接触角：２７°）、ＰＥＴ（処理液との接触角：７°）のいずれの場合においても、処理液の最大厚みを９μｍ以下とすることで所望のインク滴の拡がり率を達成することが確認された。
【０１０５】
一方、処理液の最大厚みが９μｍより大きい場合には、インク滴の拡がり率が急激に低下することが確認された。その原因としては、インク滴が処理液から受ける抗力による影響と考えられる。即ち、処理液の最大厚みが大きいとインク滴が中間転写体１２に衝突することなく、または低速度で中間転写体１２に衝突し、中間転写体１２上でインク滴が充分拡がらないまま、処理液中で凝集体を形成してしまうため、インク滴の拡がり率が低下するものと推察される。
【０１０６】
以上、本発明の画像形成装置及び画像形成方法について詳細に説明したが、本発明は、以上の例には限定されず、本発明の要旨を逸脱しない範囲において、各種の改良や変形を行ってもよいのはもちろんである。
【図面の簡単な説明】
【０１０７】
【図１】インクジェット記録装置の概略構成を示した模式図
【図２】記録ヘッドの吐出面を示した平面図
【図３】記録ヘッドの一部断面図（図２中３−３線に沿う断面図）
【図４】インクジェット記録装置のシステム構成を示す要部ブロック図
【図５】良好な転写の必要条件を説明するための図
【図６】処理液及びインクの付与量と転写率との関係を示した図
【図７】インク滴の拡がり率とその高さの関係を示したグラフ
【図８】第２の吐出制御条件における処理液の付与例を示した図
【図９】インク滴の表面に処理液が濡れ拡がる様子を示した図
【図１０】処理液の厚さとインク滴の拡がり率との関係を示したグラフ
【符号の説明】
【０１０８】
１０…インクジェット記録装置、１２…中間転写体、１４…処理液供給部、１６…マーキング部、１８…転写部、２０…溶媒除去部、２２…クリーニング部、２４…画像定着部、２６…溶媒除去ローラー、３０…記録ヘッド、３０Ｓ…記録ヘッド（処理液用ヘッド）、３０Ｋ、３０Ｃ、３０Ｍ、３０Ｙ…記録ヘッド（インク用ヘッド）、３４…記録媒体、３６…加圧ローラー、３８…クリーニングローラー、４０Ａ、４０Ｂ…定着ローラー、５１…ノズル、５２…圧力室、５４…供給口、５５…共通流路、５６…振動板、５８…圧電素子、８０…プリント制御部、８０ａ…吐出制御部、８３…処理液用ヘッドドライバ、８４…インク用ヘッドドライバ
【図１】
2007268802.tif 000006
【図２】
2007268802.tif 000007
【図３】
2007268802.tif 000008
【図４】
2007268802.tif 000009
【図５】
2007268802.tif 000010
【図６】
2007268802.tif 000011
【図７】
2007268802.tif 000012
【図８】
2007268802.tif 000013
【図９】
2007268802.tif 000014
【図１０】
2007268802.tif 000015